(57)【要約】【課題】点検と分解洗浄を容易にすることができる集合枡を提供することを目的とするものである。【解決手段】異なる方向から集まってくる複数本の流入パイプ１５からの排水を集めて太い排水管で流出させる集合枡であって、上端に開口部を有し、下部に排水部を有する有底筒状の枡部１０と、その枡部１０の上端の開口部を覆うため、枡部１０の上端縁部に脱着自在に設けられる、下端が開口した箱状のカバー部３０と、先端が前記カバー部３０の側壁３４を貫通し、枡部１０の開口部に向けて下向きに曲がっている複数本の流入パイプ１５とからなり、前記流入パイプ１５がカバー部３０の外部で鉛直面によってカバー側と流入側とに分離されており、前記流入パイプ１５のカバー側がカバー部３０に固定され、カバー側と流入側の端部同士が脱着自在の連結手段で連結されている分解洗浄可能な集合枡。【選択図】  図１
2004244873.tif 000002
【特許請求の範囲】
【請求項１】
異なる方向から集まってくる複数本の流入パイプからの排水を集めて太い排水管で流出させる集合枡であって、
上端に開口部を有し、下部に排水部を有する有底筒状の枡部と、
その枡部の上端の開口部を覆うため、枡部の上端縁部に脱着自在に設けられる、下端が開口した箱状のカバーと、
先端が前記カバーの側壁を貫通し、枡部の開口部に向けて下向きに曲がっている複数本の流入パイプとからなり、
前記流入パイプがカバーの外部で鉛直面によってカバー側と流入側とに分離されており、
前記流入パイプのカバー側がカバーに固定され、カバー側と流入側の端部同士が脱着自在の連結手段で連結されている分解洗浄可能な集合枡。
【請求項２】
前記カバーが、筒状の側壁部と、その側壁部の上端開口に脱着自在に設けられている天井部とからなる請求項１記載の分解洗浄可能な集合枡。
【請求項３】
前記枡部内に、流入パイプから流出する排水を濾過するためのストレーナが脱着自在に収容されている請求項１記載の分解洗浄可能な集合枡。
【請求項４】
前記枡部に、排水管から立ち上る臭気防止用の封水式のトラップが設けられており、そのトラップが、前記排水管の周囲を気密状態で囲み、下端が排水管の開口より下方に配置される板状部材と、その板状部材を枡部に脱着自在に連結する手段とを備えている請求項１記載の分解洗浄可能な集合枡。
【発明の詳細な説明】
【０００１】
【発明の属する技術分野】
本発明は分解洗浄が容易な集合枡に関する。さらに詳しくは、医薬、食品工場の屋内に設けられ、固形物が混入している排水を集めて太い排水管で流出させるのに適する集合枡に関する。
【０００２】
【従来の技術】
【特許文献１】特開平０８−１５８４６２
【特許文献２】特開平０６−１０１２６３
【特許文献３】特開平１１−３２４０９３
従来、枡内部に入る配管部材（流入パイプ）は枡内で下方に向けて開口させるためエルボなどで枡本体内部に固定されている。また、枡の下部には排水口からの臭気の立ち上りを防ぐために椀型やエルボ型などの封水式のトラップが設けられている。そのため、枡の内側の配管が邪魔になり、枡の内部洗浄が非常にやりづらい。また、トラップは枡本体から外れても、流入させるパイプと流出させる排水管が側壁に対向して開口している横抜きの集合枡の場合、ドレンねじなどを開けてＴ字状の配管を洗浄するのに手間がかかる。
【０００３】
枡本体に固定される排水管の取り付けを簡便にするために、枡本体の側壁に排水管を脱着自在に設けている例として特許文献１がある。特許文献１の会所枡は図５に示すように、枡本体１０１と、その側壁１０２に設けられた円形の開口１０３に、その円周形状に沿って摺動自在に連結される排水管接続用の円板１０４と、その円板１０４に設けられた接続孔１０５に接続される排水管１０６とからなる。このものは前記円板１０４を前記開口１０３の開口部に沿って回転させることにより排水管１０６の取り付けを容易としている。なおこのものは雨水などを集める会所枡に関する発明であり、排水管１０６は接続孔１０５に挿入して固定する。
【０００４】
また、トラップ部分を容易に分割することができ、かつ枡本体に堆積した異物を簡単に取り除くことができ、洗浄が容易な集合枡の例として、特許文献２のトラップ付き枡装置がある。特許文献２のトラップ付き枡装置は図６に示すように、有底筒状の枡本体１１１と、その枡本体１１１の側壁に設けられた流入口１１２と、その流入口１１２と対向する側に設けられた流出口１１３と、その流出口１１３に脱着自在に連結され前記枡本体１１１の底に向けて開口するエルボ体１１４と、そのエルボ体１１４の近辺から流出口１１３の口径を超えて上方に突出する隔壁部１１５と、その隔壁部１１５の下端を支持し、前記流入口と前記エルボ体の間で前記流入口１１２の底部１１６より低い位置に挿脱自在に配置される容器１１７とからなる。このものは前記枡本体１１１を洗浄するときには容器１１７、隔壁部１１５および前記エルボ体１１４を取り外すことにより行なう。
【０００５】
さらに、トラップ部に混入した異物を容易に除去し、かつ臭気の立ち上りを防ぐ例として特許文献３の排水枡がある。特許文献３の排水枡は図７の断面図に示すように、枡本体１２１と、その内周の壁に沿って上部に連結される二重筒状の汚水受け１２２と、その汚水受け１２２の内周壁１２３に吊り下げられるバスケット（ストレーナ）１２４と、そのバスケット１２４に被せられる箱状の蓋体１２５とからなる。蓋体１２５の周壁１２６は、汚水受け１２２内周壁１２３と外周壁１２７の間に形成される貯水溝１２８を中央で仕切っている。それにより流水路が前記貯水溝１２８部分をＵ字状に迂回するトラップとなり、臭気の上昇を阻止することができる。
【０００６】
【発明が解決しようとする課題】
医薬、食品関連の工場の屋内設備においては、衛生管理が特に厳しくＧＭＰなどに定められた基準に沿って、日常的に点検や洗浄が行なわれる。そのため点検と洗浄の容易さはこのような設備にとっては重要な要素であり、特に洗浄においては可能な限り分解して、洗浄を行なうことが望まれる。特許文献１の会所枡（図５参照）は組み立て設置作業は容易であるが、一端組み立てた後は分解することが困難である。すなわち排水管１０６を接続円板１０４の接続孔１０５に挿入して固定するので、排水管１０６をすべて抜き取らなければ枡本体１０１を取り外すことができない。
【０００７】
また特許文献２のトラップ付き枡装置（図６参照）は、流入口１１２と流出口１１３が対向する、いわゆるＴ字型配管の例であり、流入口１１２の洗浄も枡本体の内部から行うので、洗浄作業が煩雑である。また容器１１７に入った堆積物が常時トラップ用の水の中に漬かっているので、食品などを堆積させる場合には使えない。他方、特許文献３の排水枡は、バスケット１２４を含めて、枡本体全体の臭気の立ち上りを抑制できる反面、環状のトラップがあるのでバスケット１２４の取り外しが煩雑である。また流入口については考慮されていない。そのためグレーチング１２９を通して温水を枡に流し込むとき、湯気が立ち昇ってくる。本発明は前記従来技術の問題に鑑みてなされたものであり、分解洗浄が容易で、湯気の立ち昇りを防ぐことができる集合枡を提供することを目的とするものである。
【０００８】
【課題を解決するための手段】
本発明の分解洗浄可能な集合枡（請求項１）は、異なる方向から集まってくる複数本の流入パイプからの排水を集めて太い排水管で流出させる集合枡であって、上端に開口部を有し、下部に排水部を有する有底筒状の枡部と、その枡部の上端の開口部を覆うため、枡部の上端縁部に脱着自在に設けられる、下端が開口した箱状のカバーと、先端が前記カバーの側壁を貫通し、枡部の開口部に向けて下向きに曲がっている複数本の流入パイプとからなり、前記流入パイプがカバーの外部で鉛直面によってカバー側と流入側とに分離されており、前記流入パイプのカバー側がカバーに固定され、流入パイプのカバー側と流入側の端部同士が脱着自在の連結手段で連結されていることを特徴としている。
【０００９】
また、このような集合枡は、前記カバーが、筒状の側壁部と、その側壁部の上端開口に脱着自在に設けられている天井部とからなるもの（請求項２）が好ましい。さらにこのような集合枡は前記枡部内に、流入パイプから流出する排水を濾過するためのストレーナ（スクリーン）が脱着自在に収容されているもの（請求項３）が好ましい。
【００１０】
そしてこのような集合枡は、前記枡部に、その排水管から立ち上る臭気防止用の封水式のトラップが設けられており、そのトラップが、前記排水管の周囲を気密状態で囲み、下端が排水管の開口より下方に配置される板状部材と、その板状部材を枡部に脱着自在に連結する手段とを備えているもの（請求項４）がさらに好ましい。
【００１１】
【作用および発明の効果】
本発明の集合枡（請求項１）は、箱状のカバーが枡の上端の開口部を覆っているので、排水の水面が隠される。そのためグレーチングで覆う場合に比して、清潔である。また、流入パイプがカバーを貫通してカバーの内部で開口しているので、排水の臭いが外部にほとんど漏れず、温排水を流し込んだときに立ち上る湯気が外部に流れ出さない。
さらに異なる方向から集まってくる複数本の流入パイプが、それぞれカバーの外部で鉛直面によってカバー側（エルボ）と流入側（直管）とに分離されており、前記流入パイプのカバー側がカバーに固定され、カバー側と流入側の端部同士が脱着自在の連結手段で連結されているので、連結手段を外すだけで、流入パイプの先端ごとカバーを上向きに取り外すことができる。そして取り外した後は、床部等に固定された勾配をもって略水平の上流側配管の直管部が残るだけであるので、奥の方まで楽に洗浄することができる。さらに枡部については、流入パイプの先端部が除かれているので、内部へのアクセスが容易になり、洗浄作業が容易である。取り外したカバーについても、容易に洗浄することができる。
【００１２】
前記カバーが、筒状の側壁部と、その側壁部の上端開口に脱着自在に設けられている天井部（蓋）とからなる場合（請求項２）は、天井部を開けることにより枡部の上部が大きく開口するため、枡の内部奥深くまで容易に点検をすることができる。さらに点検終了時には、天井部を閉めて容易に枡内部と外部（外気）を隔てることができるため、雑菌などの温床になりやすい枡底部の貯水部と外気が触れないため衛生である。また前記枡部内に、流入パイプから流出する排水を濾過するためのストレーナが脱着自在に収容された場合（請求項３）は、ストレーナに大きな異物が混入した際も、枡内部まで手を伸ばす必要がなく異物を容易に取り出すことができる。そのときストレーナごと取出して異物を廃棄し、ストレーナを洗浄することも可能である。
【００１３】
前記枡部の排水部から立ち上る臭気防止用の封水式のトラップが設けられており、そのトラップが、前記排水部の周囲を気密状態で囲み、下端が排水部の開口より下方に配置される板状部材と、その板状部材と枡部を脱着自在に連結する手段とを備えている場合（請求項３）は、板状部材を取り外すことにより容易にトラップを分解することができ、さらに取り外した後も枡内部に余分なでっぱりがなく、洗浄が容易である。またトラップ部分が大きく開口して洗浄できるため、排水口が詰まった場合でも容易に詰まりを解消することができる。
【００１４】
【発明の実施の形態】
つぎに図面を参照しながら本発明の集合枡の一実施形態を説明する。図１は本発明の第１の実施形態の集合枡を示す断面図、図２はその集合枡の枡部の斜面図、図３はその集合枡の仕切り部材の斜面図、図４はその集合枡のカバー部の斜面図である。
【００１５】
はじめに図１を参照して本発明の集合枡の一実施形態を説明する。図１の分解洗浄可能な集合枡Ａは大きく分けて、下方の枡部１０とその上に設けられるカバー部３０とから構成されている。まず、枡部１０は、断面矩形状で有底筒状の枡本体１１と、その枡本体１１内にぶら下げて配置されるストレーナ（バケット、スクリーン）１２と、前記枡本体１１の側壁の下方に設けられた排水パイプ１３と、その排水パイプ１３を囲んでトラップを形成するための仕切り部材１４と、カバー部３０に排水を送り込む流入パイプ１５とからなる。
【００１６】
図２に示すように、前記枡本体１１は、上端が開口した断面矩形状の有底筒体（箱体）であり、底面１６は、排水口パイプ１３の近辺の平坦部１６ａと、排水パイプ１３側に向かって下向きに傾斜する傾斜部１６ｂとからなる。それにより排水パイプ１３の近辺に、排水を一時的に留める貯水部１７が形成される。枡本体１１の上端開口部の周縁には、カバー部を着脱自在に支持するための断面Ｌ字状の支持枠１８が溶接などで一体に設けられている。
【００１７】
図１に示すように、支持枠１８のいくらか下方の内面側には、前記ストレーナ１２を着脱自在に支持するための内向きの鍔１９が溶接などで一体に設けられている。枡本体１１の一方の側壁２０の下部近辺には、排水パイプ１３と連通する排水口１３ｂが設けられている。通常は排水パイプ１３は枡本体１１に一体に溶接され、端部に設けたフランジ１３ａで、排水管路と連結される。枡本体１１は、たとえばステンレス（ＳＵＳ３０４他）鋼板などの錆に強い板状鋼材を、所定の輪郭に切断し、折り曲げて溶接することにより製造される。
【００１８】
前記仕切り部材１４は、図３に示すように、枡本体にあらかじめ溶接などで気密状態で固定される支持部材２３と、その支持部材２３に蝶ネジ２４などで着脱自在に取り付けられるＬ字状に折り曲げた仕切り板２５とからなる。支持部材２３は、左右の側壁部材２６と、それらの側壁部材２６の前面の上端同士および下端同士を連結する断面Ｌ字状の連結部材２７とからなる。側壁部材２６の前端は枡本体１１の内面に当接するために内向きに折り曲げたフランジ２６ａが形成され、上端および後端は、仕切り板２５を受けるために内向きのフランジ２６ｂ、２６ｃが設けられている。仕切り板２５と支持部材２３との間には、腐食に強いシリコンやテフロン（登録商標）またはＥＰＤＭ（エチレンプロピレン合成ゴム）製などのガスケット（図示していない）が介在され、気密状態を維持する。
【００１９】
図１の貯水部１７はその貯水する部分が大きくなるにつれ、ストレーナ１２から洩れた固形物が堆積できる量も大きくなる。そのため雑菌の温床の場を広げる原因となりやすい。そこで、この枡に流される時間当たりの排水量などを考慮して、前記貯水部１７に貯められる排水の量がなるべく少なくするように、傾斜部１６ｂを設けている。
【００２０】
前記枡本体１１の外周でストレーナ１２の上方近辺には、枡本体１１を外部の梁などの固定部材に固定のため及び防水仕舞のための固定用鍔２８が設けられている。さらに前記排水パイプ１３の自由端にはフランジ１３ａやルーズフランジなどが設けられ、排水用の配管や処理槽への接続を容易としている。
【００２１】
前記ストレーナ１２は上端が開口する箱状を呈し、その上端から外向きに、前記枡本体１１の鍔１９に係止するためのフランジ１２ａが設けられている。また、対向する壁の中央の上端同士を連結する棒状の提げ手１２ｂが設けられている。このストレーナ１２も腐食防止のためステンレス板を折り曲げて溶接して形成するのが好ましい。また多数の孔が穿設されたパンチングメタルなどが好適に用いられる。なお濾過の用途に合わせて開口率を変化させたり、形状をバスケット状や板状にする事もでき、場合によっては布フィルターなどで構成することもできる。
【００２２】
次に図１と図４を用いて、前記カバー部３０について説明する。カバー部３０は、断面矩形状で上部と下部が開口したカバー本体３１と、そのカバー本体３１の上端に着脱自在に設けた、カバー本体３１内を外気から遮断するための蓋体３２とからなる。前記蓋体３２は鋼板製であっても良いし、更に望ましいのは内部の様子が判るアクリルなどの強度があり透明な材質なのものであればなお良い。カバー本体３１の下端には、前記枡部１０に設けた支持枠１８と係合する内向きに曲げた連結鍔３３が設けられている。
【００２３】
カバー本体３１の側壁３４には、異なる方向から集まる複数本の流入パイプ１５の先端部が貫通して固定されている。その流入パイプ１５は、図４に示すように、側壁３４より上流側で鉛直面に沿ってカバー側のエルボ部分３６と、残りのパイプ本体（直管部分）３７とに分離されている。そしてエルボ部分３６およびパイプ本体３７の端部には、それぞれ連結用のフランジ（ヘルール）３６ａ、３７ａが設けられており、それらのフランジ（ヘルール）３６ａ、３７ａは公知のパイプ連結用のクランプ３８で着脱自在に連結されている。なお、フランジ３６、３７の間にはシリコン、テフロン（登録商標）またはＥＰＤＭ製のガスケット３９が介在されている。前記側壁３４を貫通しているエルボ部分３６は、カバー本体内の側３６ｂで、枡部１０の開口部に向けて下向きに曲がっている。
【００２４】
前記枡部１０とカバー部３０を設置する時は、図１に示すように、工場などの床に設けられた開口部に前記枡部１０を挿入して固定用鍔２８で固定する。その後、固定用鍔２８の上から枡本体１１の支持枠１８の上端まで発泡コンクリートなどを流し込み固定する。次に支持枠１８にカバー部３０の連結鍔３３を係合して、流入パイプ１５先端のパイプ本体３７と、エルボ部３６とをクランプ３８を用いて連結し、前記蓋体３２を取り付ける。
【００２５】
前記流入パイプ１５から排水が流れると、流入パイプ１５のエルボ部分３６を通して前記枡本体１１に向かって下向きに排水が流れる。次いで枡部１０に設けられたストレーナ１２によって固形物がろ過され、枡本体１１内部に流れる。その後、底部１６の傾斜部１６ｂから平坦部１６ａへ、さらに貯水部１７を経て仕切り板２５の下端を基部とする基部Ｕ字状の流路で排水口１３ｂまで流れる。このとき、カバー部３０で枡部１０の上方開口部を外気と遮断しているため、温排水から立ち上る湯気が工場内の外気と触れないようにできるため衛生的である。
【００２６】
次にこの集合枡Ａを点検する時は、蓋体３２が上部に脱着自在に連結されているので、これを開けることにより大きく枡本体１１内部まで見渡すことができる。またこの蓋体３２が透明で中が確認できるように設計されている場合は、点検のたびに前記蓋体３２を開ける必要がないので、雑菌などが繁殖している恐れのある枡内部１１と外気が触れることなく点検を行なうことができるため衛生的である。また混入物が発見された場合でも、カバー本体３１の開口部が大きく開いており、さらにストレーナ１２が枡本体１１の上部で工場内の床とほぼ同じ高さで配置されているため、除去するのが容易であり、固形物をストレーナ１２ごと取り外して除去して、同時にストレーナ１２も洗浄することができる。また前記蓋体３２はその一部分にアクリルなどの透明な部材で点検用の窓を設けてもよい。
【００２７】
さらに、貯水部１７付近に固形物が混入した場合でも、クランプ３８を外してフランジ（ヘルール）３６ａ、３７ｂの連結を外せば、流入パイプ１５のエルボ部分３６とパイプ本体３７との連結を解除することができるため、上部のカバー部３０全体はエルボ部分３６ごと枡部１０の上部から取り去ることができる。そのため固形物除去作業の邪魔にならず、大きく開いた枡本体１１の開口部に身を乗り出して作業を進めることができる。また貯水部１７に設けた仕切り板２５は、蝶ネジ２４を外すだけで、容易に取り外すことができる。そして仕切り板２５を外した後は、大きく排水口１３ｂ付近が開くので、詰まり除去のための器具などを挿入することが容易である。
【００２８】
次にこの集合枡Ａを分解洗浄するときは、前述のようにカバー部３０全体をエルボ部分３６ごと取り外す。パイプ本体３７との連結が切れたことにより、流入パイプ１５のエルボ部分３６なども容易に洗浄することができる。さらにパイプ本体３７にもそのパイプに対して真直ぐに洗浄用器具を挿入することができるため洗浄が容易であり、洗浄のできる範囲も広がるため衛生的である。次にストレーナ１２をそれの上部に設けられた堤げ手１２ｂをつかんで上部に抜き去り、枡内部に配置されている仕切り板２５を連結している蝶ボルト２４などを緩めて取り外す。これにより枡内部にはほとんど洗浄の邪魔になる部材が存在しないため、隅々まで洗浄ができ衛生的であり、さらに洗浄に掛かる時間も節約できる。
【図面の簡単な説明】
【図１】本発明の一実施形態を示す断面図である。
【図２】第１の実施形態の枡部の斜面図である。
【図３】第１の実地形態の仕切り部材を示す斜面図である。
【図４】第１の実施形態のカバー部の斜面図である。
【図５】従来例を示す斜面図である。
【図６】従来例を示す断面図である。
【図７】従来例を示す断面図である。
【符号の説明】
Ａ  第１の実施形態である集合枡
１０  枡部
１１  枡本体
１２  ストレーナ
１２ａ  フランジ（ストレーナ）
１２ｂ  堤げ手（ストレーナ）
１３  排水パイプ
１３ａ  フランジ
１３ｂ  排水口
１４  仕切り部材
１５  流入パイプ
１５ａ、１５ｂを削除します
１６  底面
１６ａ  平坦部
１６ｂ  傾斜部
１７  貯水部
１８  支持枠
１９  鍔（ストレーナ）
２０  側壁（排水口）
２３  支持部材（仕切り部材）
２４  蝶ねじ
２５  仕切り板
２６  側壁部材（仕切り部材）
２６ａ  フランジ
２６ｂ  フランジ
２６ｃ  フランジ
２７  連結部材（仕切り部材）
２８  固定用鍔
３０  カバー部
３１  カバー本体
３２  蓋
３３  連結鍔
３４  側壁（カバー部）
３６  エルボ（流入管）
３６ａ  フランジ及びヘルール（エルボ）
３６ｂ  開口（エルボ）
３７  パイプ本体
３７ａ  フランジ及びヘルール（パイプ本体）
３８  クランプ
３９  ガスケット
１０１  枡本体
１０２  側壁
１０３  開口
１０４  円盤
１０５  接続孔
１０６  排水管
１１１  枡本体
１１２  流入口
１１３  流出口
１１４  エルボ体
１１５  隔壁部
１１６  底部
１１７  容器
１２１  枡本体
１２２  汚水受け
１２３  内周壁
１２４  バスケット
１２５  蓋体
１２６  周壁
１２７  外周壁
１２８  貯水溝
【図１】
2004244873.tif 000003
【図２】
2004244873.tif 000004
【図３】
2004244873.tif 000005
【図４】
2004244873.tif 000006
【図５】
2004244873.tif 000007
【図６】
2004244873.tif 000008
【図７】
2004244873.tif 000009